(57)【要約】      （修正有）【課題】入浴剤の使用を自動判別し、且つ炭酸ガス系又は非炭酸ガス系のどちらのタイプの入浴剤使用の場合でも循環加熱による追い焚き運転を適切に実施することができる風呂給湯装置を提供する。【解決手段】風呂給湯装置は、追い焚き配管３１内に設けた一対の電極６２ａ，６２ｂを有し、この電極６２ａ，６２ｂ間を流れる浴槽水が誘電体となるコンデンサ６１を備えた入浴剤検知器６を備える。制御部は、追い焚き運転開始時に入浴剤検知器が測定した検知データに基づいて入浴剤使用の有無を判定し、入浴剤使用有りの場合は、浴槽水に供給する追い焚き熱量として入浴剤使用無しのときの通常湯温よりも低い低湯温で追い焚き運転を行わせる。【選択図】図２
2014152993.tif 000002
【特許請求の範囲】
【請求項１】
浴槽と熱交換器とを接続する追い焚き配管を通して浴槽内の浴槽水をポンプにより循環させて熱交換器で加熱して追い焚き運転する風呂給湯装置において、
追い焚き配管内に設けた一対の電極を有し、この電極間を流れる浴槽水が誘電体となるコンデンサを備えた入浴剤検知器と、
追い焚き運転開始時に入浴剤検知器が測定した検知データに基づいて入浴剤使用の有無を判定し、入浴剤使用有りの場合は、浴槽に供給する追い焚き湯温として入浴剤使用無しのときの通常湯温よりも低い低湯温で追い焚き運転を行わせる制御部とを備える風呂給湯装置。
【請求項２】
請求項１に記載の風呂給湯装置において、
上記制御部は、浴槽への湯張り運転中に入浴剤検知器が測定した検知データに基づいて基準値を設定し、追い焚き運転開始時に入浴剤検知器で測定した検知データが基準値から外れていると評価される場合に入浴剤使用有りと判定する風呂給湯装置。
【請求項３】
請求項１又は２に記載の風呂給湯装置において、
上記制御部は、入浴剤使用有りと判定した場合、追い焚き運転開始時に測定した検知データの変動幅が一定範囲未満の場合は入浴剤が非炭酸ガス系であると判定して上記低湯温を第１低湯温に設定し、上記検知データの変動幅が一定範囲以上の場合は入浴剤が炭酸ガス系であると判定して上記低湯温を第１低湯温よりも低い第２低湯温に設定する風呂給湯装置。
【請求項４】
請求項１〜３のいずれか１項に記載の風呂給湯装置において、
上記一対の電極は、追い焚き配管において上記ポンプの上流側に設けられている風呂給湯装置。
【発明の詳細な説明】
【技術分野】
【０００１】
本発明は、浴槽内の浴槽水を熱交換器で加熱して追い焚き運転する機能を有する風呂給湯装置に関する。
【背景技術】
【０００２】
従来の風呂装置として、浴槽内の冷めた湯を温める際、炭酸ガス系の入浴剤の使用の有無によって、浴槽水を熱交換器に通し循環加熱する追い焚きと浴槽へ高温水を供給する高温差し湯とを使用者がリモコンのスイッチ操作で選択できるようにしたものがある（特許文献１）。この風呂装置によれば、炭酸ガス系入浴剤を使用した場合は、使用者が高温差し湯を選択することにより、浴槽水を熱交換器で加熱させずに昇温できるから浴槽水に溶存する炭酸ガスの脱気を防ぐことができるというものである。
【先行技術文献】
【特許文献】
【０００３】
【特許文献１】特開２００３−２７９１２３号公報
【発明の概要】
【発明が解決しようとする課題】
【０００４】
しかしながら、従来の風呂装置では、入浴剤を使用した場合に浴槽水を加熱するとき、入浴剤が炭酸ガス系か否かを使用者が判断する必要があるため必ずしも使い勝手がよいものではなかった。また、炭酸ガス系入浴剤を使用した場合に高温差し湯を選択させると、高温差し湯では浴槽水が増えてしまうことや希望の湯温とすることが難しい等の問題が解消されない。一方、非炭酸ガス系の入浴剤を使用した場合は使用者に浴槽水を熱交換器に通して循環加熱する追い焚きを選択させることとなる。この熱交換器による加熱の場合、熱交換器の伝熱管が高温（約８０℃）であり追い焚き運転終了後の熱交換器の後沸き温度が高くなることによって浴槽水に溶け込んだ入浴剤の固形成分がスケールとして伝熱管内に析出して熱交換器の熱効率を低下させるおそれがあった。
【０００５】
本発明は、以上の事情に鑑みてなされたものであり、入浴剤の使用を自動判別し、且つ炭酸ガス系又は非炭酸ガス系のどちらのタイプの入浴剤使用の場合でも熱交換器を通して循環加熱する追い焚き運転を適切に実施することができる風呂給湯装置を提供することを目的とする。
【課題を解決するための手段】
【０００６】
本発明に係る風呂給湯装置は、
浴槽と熱交換器とを接続する追い焚き配管を通して浴槽内の浴槽水をポンプにより循環させて熱交換器で加熱して追い焚き運転する風呂給湯装置において、
追い焚き配管内に設けた一対の電極を有し、この電極間を流れる浴槽水が誘電体となるコンデンサを備えた入浴剤検知器と、
追い焚き運転開始時に入浴剤検知器が測定した検知データに基づいて入浴剤使用の有無を判定し、入浴剤使用有りの場合は、浴槽に供給する追い焚き湯温として入浴剤使用無しのときの通常湯温よりも低い低湯温で追い焚き運転を行わせる制御部とを備える。
【０００７】
これによれば、浴槽水の誘電率は、浴槽水に入浴剤を含まない場合は水の誘電率とみなすことができ、浴槽水に入浴剤を含む場合は水と入浴剤の固形成分、炭酸ガス等とに基づいた誘電率となる。そして、上記コンデンサは、電極間を流れる浴槽水が誘電体を構成するから、浴槽水に入浴剤を含む場合と含まない場合とでは、このコンデンサの静電容量は、異なるものとなる。従って、上記コンデンサを備えた入浴剤検知器における検知データは、浴槽水に入浴剤を含む場合と含まない場合とでは異なる。このことから、上記制御部は、追い焚き運転開始時に入浴剤検知器が測定した検知データに基づいて入浴剤使用の有無を自動判別することができる。
【０００８】
そして、上記制御部は、追い焚き運転時に浴槽に供給する追い焚き湯温として、入浴剤使用有りの場合は入浴剤使用無しのときの通常湯温よりも低い低湯温で追い焚き運転を行わせる。これにより、追い焚き運転によって浴槽水が高温に加熱されないから、入浴剤が炭酸ガス系の場合は浴槽水に溶存する炭酸ガスの脱気を抑えることができ、入浴剤の効能を長く保持することができる。また、熱交換器の伝熱管が高温とならず追い焚き運転終了後の熱交換器の後沸き温度が低く抑えられるので、入浴剤が非炭酸ガス系の場合でも浴槽水に溶け込んだ固形成分の析出を抑えることができ、熱交換器の性能低下を防止することができる。
【０００９】
上記制御部は、浴槽への湯張り運転中に入浴剤検知器が測定した検知データに基づいて基準値を設定し、追い焚き運転開始時に入浴剤検知器で測定した検知データが基準値から外れていると評価される場合に入浴剤使用有りと判定するのが望ましい。
【００１０】
すなわち、湯張り運転時に浴槽へ出湯される湯張り温水はさら湯（入浴剤が混入しない湯）である。そして、上記制御部は、湯張り温水（さら湯）についての検知データを基準値として、追い焚き運転開始時に入浴剤検知器が測定した検知データと比較して入浴剤使用の有無を判定する。従って、追い焚き運転時に入浴剤が使用されていた場合は、追い焚き運転開始時の検知データが上記基準値から外れていると評価できるから、入浴剤使用有りを正しく判定することができる。
【００１１】
上記制御部は、入浴剤使用有りと判定した場合、追い焚き運転開始時に測定した検知データの変動幅が一定範囲未満の場合は入浴剤が非炭酸ガス系であると判定して上記低湯温を第１低湯温に設定し、上記検知データの変動幅が一定範囲以上の場合は入浴剤が炭酸ガス系であると判定して上記低湯温を第１低湯温よりも低い第２低湯温に設定するのが望ましい。
【００１２】
すなわち、入浴剤が炭酸ガス系の場合、浴槽水が一対の電極間を流れているときに炭酸ガスの気泡が集まって大きくなったり、電極上で溶存する炭酸ガスが気泡となることがある。そのため、一対の電極間を流れている浴槽水の気泡の割合が大きく変動し、コンデンサの誘電体となる浴槽水における誘電率の変動が大きくなる。従って、炭酸ガス系入浴剤を使用した場合、入浴剤検知器で測定する検知データの上下変動幅が大きく一定範囲以上となる。これより、制御部において、入浴剤が炭酸ガス系入浴剤であると判定することができる。
【００１３】
一方、非炭酸ガス系入浴剤の場合、その固形成分の細かな粒子は、浴槽水中に平均的に混ざっており、急にまとまったりすることはない。そのため、一対の電極間を流れている浴槽水における成分粒子の割合は殆ど変動せず、コンデンサの誘電体となる浴槽水における誘電率の変動が微少である。従って、非炭酸ガス系入浴剤を使用した場合、入浴剤検知器で測定する検知データの上下変動幅が微少であり上記一定範囲未満となる。これより、制御部において、入浴剤が非炭酸ガス系入浴剤であると判定することができる。
【００１４】
そして、追い焚き湯温として設定する低湯温は、非炭酸ガス系入浴剤の場合の第１低湯温と炭酸ガス系入浴剤の場合の第２低湯温とは、第１低湯温を高く、第２低湯温を低くする。炭酸ガス系入浴剤の場合、低い方の第２低湯温とすることにより、循環加熱に伴う浴槽水中の炭酸ガスの脱気を極力抑えることができる。非炭酸ガス系入浴剤の場合、高い方の第１低湯温でも、熱交換器の後沸き温度が低く抑えられるので、浴槽水に溶け込んだ固形成分の析出を抑え、熱交換器の伝熱管内でのスケール形成を防ぐことができる。
【００１５】
上記一対の電極は、追い焚き配管において上記ポンプの上流側に設けられているのが望ましい。
【００１６】
これによれば、追い焚き配管を流れる浴槽水は、ポンプ内の羽によって泡立てられるが、入浴剤検知器の一対の電極を追い焚き配管におけるポンプの上流側に設けることにより、ポンプの駆動により浴槽内から追い焚き配管に流入された浴槽水は、ポンプに吸引される前に電極を通過する。従って、入浴剤検知器では、ポンプにより引き起こされた泡の影響を受けずに浴槽水の検知データを測定することができ、検知データの正確性が確保される。
【発明の効果】
【００１７】
以上のように、本発明に係る風呂給湯装置によれば、入浴剤の使用を自動判別し、且つ炭酸ガス系又は非炭酸ガス系のどちらのタイプの入浴剤使用の場合でも熱交換器での加熱による追い焚き運転を適切に実施することができる。従って、使用者は、入浴剤使用を気にせずに浴槽水の追い焚き運転を行わせることができ、高温差し湯のように浴槽水が増えてしまうことや希望の湯温とするのが困難となる不都合がなく、使い勝手が一層良くなる。
【図面の簡単な説明】
【００１８】
【図１】実施形態の風呂給湯装置の構成を示す模式図である。
【図２】入浴剤検知器として戻り管内にコンデンサとなる一対の電極を設けた部分を示す断面図である。
【図３】入浴剤検知としての発振回路を説明する図であり、同図（ａ）は発振回路図であり、同図（ｂ）は発振波形のタイミングチャートである。
【図４】一対の電極間を流れる浴槽水の様子を示す図であり、同図（ａ）は炭酸ガス系入浴剤使用の場合を示す模式図であり、同図（ｂ）は非炭酸ガス系入浴剤使用の場合を示す模式図である。
【図５】追い焚き運転時に入浴剤判定を行う制御部の制御動作を示すフローチャートである。
【図６】水温と炭酸ガス溶存量との関係を示すグラフである。
【発明を実施するための形態】
【００１９】
以下に、実施形態について添付図面を参照しながら説明する。
図１に示すように、実施形態の風呂給湯装置１は、給水管２１及び出湯管２２を給湯用熱交換器２３に接続する給湯管路２と、戻り管３１及び往き管３２を浴槽５の循環金具５１と追い焚き用熱交換器３３との間に接続する追い焚き循環管路３と、給湯管路２の出湯管２２から分岐して追い焚き循環管路３の戻り管３１に接続する湯張り管路４と、この風呂給湯装置１全体の運転制御を担う制御部１０と、使用者がこの装置の運転形態等を指示するためのリモコン１１とを備える。なお、戻り管３１及び往き管３２は、浴槽５と追い焚き用熱交換器３３との間に浴槽水を循環させるための追い焚き配管を構成する。
【００２０】
給湯管路２において、給水管２１には、上流側から水（水道水等）が導入され、給水量センサ４３、給水量調節弁４４等が設けられている。出湯管２２には、下流端に台所等の給湯栓が接続されており、湯張り管路４の分岐部より上流側に出湯温センサ４５が設けられている。給湯用熱交換器２３は、給湯用ガスバーナ２４により加熱される。給湯用ガスバーナ２４におけるガス供給管２５には、ガス電磁弁２６、ガス比例弁２７等が設けられている。また、給湯用ガスバーナ２４の下には、燃焼用空気を送り込む給気ファン２８が設けられている。
【００２１】
追い焚き循環管路３において、戻り管３１には、浴槽５内の浴槽水を吸引して追い焚き循環管路３に循環させるポンプ５２と、追い焚き循環管路３での流水の有無を検出する風呂流水スイッチ５３と、浴槽５から吸引した浴槽水の温度を検出する風呂温度センサ５４とが設けられている。往き管３２には、追い焚き用熱交換器３３の出口付近に循環加熱された浴槽水の温度を検出する風呂出湯温センサ５５が設けられている。この風呂出湯温センサ５５での検知温度は、追い焚き用熱交換器３３の伝熱管３３１の温度と略等しいと認められる。なお、伝熱管３３１に温度センサを設けて伝熱管３３１の温度を検出するようにしてもよい。追い焚き用熱交換器３３は、追い焚き用ガスバーナ３４により加熱される。追い焚き用ガスバーナ３４におけるガス供給管３５には、ガス電磁弁３６、ガス比例弁３７等が設けられている。また、追い焚き用ガスバーナ３４の下には、燃焼用空気を送り込む給気ファン３８が設けられている。
湯張り管路４には、注湯電磁弁４１、注湯量センサ４２等が設けられている。
【００２２】
制御部１０は、リモコン１１により湯張り運転が指示されると、注湯電磁弁４１を開いて給湯用熱交換器２３で加熱した湯張り温水を出湯管２２から湯張り管路４を通して戻り管３１に落とし込み、戻り管３１、又は戻り管３１と往き管３２より浴槽５内に供給するように制御する。また、リモコン１１により追い焚き運転が指示されると、制御部１０は、浴槽５内の浴槽水を追い焚き循環管路３に循環させて追い焚き用熱交換器３３で加熱するように制御する。
【００２３】
ところで、本実施形態では、戻り管３１において、ポンプ５２の上流側に浴槽水に入浴剤を含むか否かを検出するための入浴剤検知器６が設けられている。そして、制御部１０は、追い焚き運転開始時に入浴剤検知器６から得られる検知データに基づいて入浴剤使用の有無を判定し、入浴剤使用有りと判定した場合は、浴槽に供給する浴槽水の追い焚き湯温として入浴剤を使用しないときの通常湯温よりも低い低湯温で追い焚き運転を行うように制御する。
【００２４】
以下に、入浴剤判定を伴う追い焚き機能について説明する。
図２、図３（ａ）を参照して、入浴剤検知器６は、戻り管３１内に設けた一対の電極６２ａ，６２ｂにより構成するコンデンサ６１を有し、このコンデンサ６１の一方の電極６２ａ側に抵抗器６３及びシュミットインバータ６４を接続して発振回路６０として構成したものである。入浴剤検知器６を構成する発振回路６０は、例えば、Ｈ−ＣＭＯＳシュミットインバータ７４ＨＣ１４によるパルス波発振回路とすることができる。
【００２５】
コンデンサ６１では、一対の電極６２ａ，６２ｂを戻り管３１内に設けることにより、戻り管３１を流れる浴槽水が電極６２ａ，６２ｂ間の誘電体を構成することとなる（図２参照）。すなわち、コンデンサ６１は、一対の電極６２ａ，６２ｂとなる金属板の面積をＳ、電極６２ａ，６２ｂ間の距離をｄ、誘電体となる浴槽水の誘電率をεとする特性を持つものとなる。従って、このコンデンサ６１の静電容量Ｃは、次式（１）で示される。
Ｃ＝εＳ／ｄ …（１）
【００２６】
入浴剤検知器６となる発振回路６０は、図３（ａ）（ｂ）を参照して、電源投入により抵抗器６３を通じてコンデンサ６１が充電され、コンデンサ６１の電圧Ｖｃがシュミットインバータ６４におけるＬｏｗレベルとＨｉレベルの各々のスレッショルド電圧Ｖｃ＋，Ｖｃ−に達すると、コンデンサ６１の充放電が切り替わり、これにより、シュミットインバータ６４の出力電圧Ｖｏが矩形波形となって出力される。従って、この発振回路６０の発振周波数ｆは、コンデンサ６１の静電容量に基づく充放電時間Tにより決まり、コンデンサ６１の静電容量をＣ、抵抗器６３の抵抗値をＲとすると、次式（２）で示される。
ｆ＝ｋ／（Ｃ×Ｒ） … （２）
（式（２）中、ｋは、発振回路６０への電源電圧と発振回路６０の電気的特性によって定まる定数である。）
【００２７】
上述のとおり、コンデンサ６１における誘電体は、一対の電極６２ａ，６２ｂ間を流れる浴槽水がその役割を担っている。浴槽水の誘電率として、浴槽水に入浴剤が混入されていないときは、水（例えば、水道水）の誘電率に基づいて約８０とみなせる。入浴剤の誘電率は、入浴剤成分（例えば、ケイ酸塩、シリカ、アルミナ等）の種類や配合等にもよるが約１〜１０であり、また、入浴剤によって発生する炭酸ガスの誘電率は約１である。従って、入浴剤が混入する浴槽水の誘電率は、浴槽水のみ（水）の誘電率よりも見かけ上小さくなる。その結果、コンデンサ６１では、上式（１）より、静電容量Ｃと誘電率εとが比例関係を示すことから、浴槽水に入浴剤が混入されているときのコンデンサ６１の静電容量は、浴槽水のみのときの静電容量よりも低い値となる。入浴剤検知器６となる発振回路６０では、上式（２）より、発振周波数ｆと静電容量Ｃとが反比例の関係を示すことから、浴槽水に入浴剤が混入されているときの発振回路６０の発振周波数は、浴槽水のみ（水）のときの発振周波数よりも高い値となる。
【００２８】
このように、浴槽水の誘電率が入浴剤の有無により異なることから、コンデンサ６１の静電容量及び発振回路６０の発振周波数は、浴槽水に入浴剤が混入されている場合は浴槽水のみのときと比べて変化する。そして、制御部１０は、入浴剤検知器６と接続され、入浴剤検知器６から入力される発振周波数を検知データとして取得する。従って、制御部１０は、入浴剤が全く混入されていない浴槽水のみのときの検知データを基準値として、追い焚き運転開始時の浴槽水について測定した検知データを比較して、その変化より入浴剤使用の有無を判別する。
【００２９】
さらには、入浴剤が炭酸ガス系の場合、図４（ａ）を参照して、浴槽水が戻り管３１や往き管３２を流れているときも炭酸ガスの気泡が集まって大きくなったり、溶存する炭酸ガス成分が気泡となる。従って、一対の電極６２ａ，６２ｂ間を流れる浴槽水の気泡の割合が大きく変動し、一対の電極６２ａ，６２ｂ間を流れる浴槽水の誘電率が大きく変動する。すなわち、入浴剤検知器６におけるコンデンサ６１の静電容量及び発振回路６０の発振周波数が大きく変動することとなる。その結果、炭酸ガス系入浴剤を使用した場合は、入浴剤検知器６で測定する検知データの上下変動幅が大きくなり一定範囲以上となる。
【００３０】
一方、入浴剤が非炭酸ガス系の場合、図４（ｂ）を参照して、入浴剤の固形成分の細かな粒子は、浴槽水に平均的に混ざっており、急にまとまることはない。従って、一対の電極６２ａ，６２ｂ間を流れている間でも浴槽水における入浴剤成分の粒子の割合は殆ど変動せず、浴槽水の誘電率は略一定に安定していることから、入浴剤検知器６で測定する検知データは、殆ど上下変動せず上記一定範囲未満となる。
ここで、上記一定範囲（変動幅）の上限値及び下限値として、例えば、測定している検知データの平均値の±１０％としたり、実験による値等とすることができる。
【００３１】
以上より、制御部１０は、さらに追い焚き運転開始時の浴槽水について測定した検知データの変動幅が一定範囲以上の場合は入浴剤が炭酸ガス系入浴剤であると判定し、一定範囲未満の場合は入浴剤が非炭酸ガス系入浴剤であると判定する。
なお、本実施形態では、入浴剤検知器６は、コンデンサ６１の静電容量に基づいて発振周波数を出力する発振回路６０を構成するが、コンデンサ６１の静電容量を測定する静電容量計を構成してもよい。この場合は、制御部１０は、入浴剤検知器６から入力される静電容量を検知データとして取得する。
【００３２】
次に、制御部１０による追い焚き運転の制御動作について、図５のフローチャートを参照して説明する。
使用者によってリモコン１１の追い焚きスイッチがオン操作されると、制御部１０が追い焚き運転開始を指令する（Ｓ０）。すると、ポンプ５２が駆動されて浴槽５内の浴槽水が戻り管３１内に導入され、風呂流水スイッチ５３により浴槽水の流水が検知されると、制御部１０において入浴剤判定（Ｓ１）が行われる。入浴剤判定は、戻り管３１において入浴剤検知器６を流れる浴槽水に対して、一定時間（例えば、１０秒）、入浴剤検知器６が測定する検知データを基準値と比較し、検知データが基準値と変化がないと評価される場合は入浴剤使用無しと判定し、基準値から変化していると評価される場合は、入浴剤使用有りと判定する（Ｓ２）。すなわち、検知データである発振周波数が基準値よりも高く変化していると評価される場合は、入浴剤使用有りと判定する。なお、検知データとして静電容量を用いる場合は、基準値よりも低く変化していると評価される場合は、入浴剤使用有りと判定する。
【００３３】
ここで、検知データの基準値に対する変化の有無の評価は、例えば、基準値に所定の許容値を加味した許容幅から一定時間測定した検知データの平均値が外れている場合に変化有りと評価する。また、基準値は、今回の入浴時に追い焚き運転に先立って湯張り運転が行われたとき、この湯張り運転動作中に戻り管３１を通り入浴剤検知器６を流れる湯張り温水（さら湯）について入浴剤検知器６により測定した検知データ（発振周波数又は静電容量）が設定される。なお、基準値は、予め実験等で求めた値であってもよい。
【００３４】
ところで、戻り管３１を流れる浴槽水は、ポンプ５２内の羽によって泡立てられる。本実施形態では、入浴剤検知器６における一対の電極６２ａ，６２ｂは、戻り管３１においてポンプ５２の上流側に設けられているので、ポンプ５２の駆動により浴槽５内から戻り管３１に流入された浴槽水は、ポンプ５２に吸引される前に電極６２ａ，６２ｂを通過する。従って、入浴剤検知器６では、ポンプ５２により引き起こされた泡の影響を受けずに浴槽水の検知データを測定することができ、検知データの正確性が確保される。
【００３５】
また、湯張り管路４は、戻り管３１における入浴剤検知器６とポンプ５２との間に接続されているので、湯張り運転時に湯張り管路４から戻り管３１に流し込まれる湯張り温水は、入浴剤検知器６を必ず通過して浴槽５へ供給される。従って、入浴剤検知器６は、湯張り運転動作中の湯張り温水に対する検知データを確実に測定することができる。よって、制御部１０では、入浴毎に、湯張り時のさら湯（湯張り温水）に対する検知データに基づく基準値を設定することができ、水道水の水質等に応じて適切な基準値を設定することができる。
【００３６】
そして、ステップＳ２において、入浴剤使用無しと判定した場合は、追い焚き用熱交換器３３によって浴槽に供給する浴槽水の追い焚き湯温を通常湯温に設定して追い焚き運転を続行する（Ｓ４，Ｓ７）。この通常湯温では、追い焚き用熱交換器３３での浴槽水の加熱温度として、例えば、約８０℃に設定される。この場合、制御部１０は、追い焚き用熱交換器３３の出口に設ける風呂出湯温センサ５５の検知温度が８０℃となるように、ガス比例弁３７を調節したり追い焚き用ガスバーナ３４の燃焼号数を調節する等して、追い焚き用ガスバーナ３４の燃焼制御を行う。
【００３７】
一方、ステップＳ２において、入浴剤使用有りと判定した場合は、さらに入浴剤が炭酸ガス系か非炭酸ガス系かを判定する（Ｓ３）。この入浴剤の種類判定は、上記の追い焚き運転開始時に入浴剤検知器６で測定した検知データの変動幅が、一定範囲以上に変化していた場合は炭酸ガス系の入浴剤使用であると判定し（Ｓ３でＹｅｓ）、一定範囲未満の場合は非炭酸ガス系の入浴剤使用であると判定する（Ｓ３でＮｏ）。非炭酸ガス系の入浴剤使用であると判定した場合は、追い焚き用熱交換器３３によって浴槽に供給する浴槽水の追い焚き湯温を通常湯温よりも低い第１低湯温に設定して追い焚き運転を続行する（Ｓ５，Ｓ７）。炭酸ガス系の入浴剤使用であると判定した場合は、上記追い焚き湯温を第１低湯温よりも低い第２低湯温に設定して追い焚き運転を続行する（Ｓ６，Ｓ７）。この場合、追い焚き用熱交換器３３での浴槽水の加熱温度として、第１低湯温では、例えば、約７０℃に設定され、第２低湯温では、例えば、約５０℃に設定される。この第１低湯温と第２低湯温とについて説明する。
【００３８】
追い焚き用熱交換器３３の加熱温度が７０℃を超える高い湯温で追い焚き運転を行うと、追い焚き運転終了後でも追い焚き用熱交換器３３の伝熱管３３１の温度が高温に維持され、それに伴い追い焚き用熱交換器３３での後沸き温度が高くなる。この場合、浴槽水に非炭酸ガス系入浴剤が混入されていると、伝熱管３３１内の浴槽水において入浴剤が濃縮され、この浴槽水に溶け込んだ入浴剤の固形成分がスケールとして伝熱管３３１の内壁に析出し易い状態となる。従って、非炭酸ガス系の入浴剤使用の場合は、追い焚き用熱交換器３３におけるスケールの形成を防ぐため、追い焚き用熱交換器３３での加熱温度として通常湯温（約８０℃）のときよりも低い加熱温度（ここでは、約７０℃以下）となる第１低湯温とする。この場合、加熱温度が高い方の第１低湯温とすることにより、追い焚き運転時間が必要以上に長くならずに済む。
【００３９】
一方、水への炭酸ガスの溶解度は、水温が高くなるに従って小さくなる。一例として、図６に示すグラフを参照して、水温３０℃ではＣＯ２溶存量は約１．３０（ｇ／Ｌ）、以下同じく、４０℃では約１．０１（ｇ／Ｌ）、５０℃では約０．８７（ｇ／Ｌ）、６０℃では約０．６８（ｇ／Ｌ）、７０℃では約０．５９（ｇ／Ｌ）、８０℃では約０．５３（ｇ／Ｌ）となる。例えば、設定湯温が４０℃（ＣＯ２溶存量１．０１ｇ／Ｌ）の場合、上記第１低湯温のときと同じ加熱温度７０℃では、浴槽水中のＣＯ２溶存量が０．５９ｇ／Ｌとなるから、追い焚き運転後の浴槽水における炭酸ガスの溶存割合は、追い焚き前の６０％以下となり、炭酸ガスが大量に脱気して炭酸ガス系入浴剤の効能が大きく失われてしまう。これに対し、追い焚き用熱交換器３３での加熱温度として、上記第１低湯温のときよりも低い加熱温度５０℃であれば、浴槽水中のＣＯ２溶存量は０．８７ｇ／Ｌであるから、追い焚き運転後の浴槽水における炭酸ガスの溶存割合は、追い焚き前の８０％以上を確保することができる。従って、炭酸ガスの脱気が抑制され、追い焚き運転後でも炭酸ガス系入浴剤の効能を十分発揮させることができる。以上より、炭酸ガス系の入浴剤使用の場合は、溶存する炭酸ガスの脱気を抑制するため、追い焚き用熱交換器３３での加熱温度として第１低湯温（約７０℃）のときよりも低い加熱温度（ここでは、約５０℃以下）となる第２低湯温とする。
【００４０】
そしてこの場合、制御部１０は、追い焚き用熱交換器３３の出口に設ける風呂出湯温センサ５５の検知温度として、非炭酸ガス系の入浴剤使用の場合は７０℃（第１低湯温）、炭酸ガス系の入浴剤使用の場合は５０℃（第２低湯温）となるように、追い焚き用ガスバーナ３４の燃焼制御を行うか、あるいは追い焚き用ガスバーナ３４の燃焼量は、通常湯温と同じ状態とし、ポンプ５２の回転数を上げて追い焚き循環管路３を流れる浴槽水の流速制御を行う。以上の追い焚き運転は、風呂温度センサ５４の検知温度が設定湯温に達すると追い焚き運転が終了される（Ｓ８，Ｓ９）。
【００４１】
以上のように、本実施形態の風呂給湯装置１によれば、入浴剤の使用を自動判別し、且つ炭酸ガス系又は非炭酸ガス系のどちらのタイプの入浴剤使用の場合でも循環加熱による追い焚き運転を適切に実施することができる。従って、使用者は、入浴剤使用を気にせずに浴槽水の追い焚き運転を行わせることができ、高温差し湯のように浴槽水が増えてしまうことや希望の湯温とするのが困難となる不都合がなく、使い勝手が一層良くなる。
【００４２】
なお、本発明は、上記実施形態に限定されず、本発明の要旨の範囲内で変更を施すことが可能である。例えば、制御部１０は、入浴剤有りを判定した場合は、入浴剤の種類判定を行わず、通常熱量よりも低い低湯温（例えば、約５０℃）により追い焚き運転を継続させるようにしてもよい。
【符号の説明】
【００４３】
１  風呂給湯装置
３  追い焚き循環管路
４  湯張り管路
５  浴槽
６  入浴剤検知器
１０  制御部
１１  リモコン
３１  戻り管
３２  往き管
３３  追い焚き用熱交換器
５２  ポンプ
６１  コンデンサ
６２ａ，６２ｂ  電極
６３  抵抗器
６４  シュミットインバータ
６０  発振回路
３３１  伝熱管
【図１】
2014152993.tif 000003
【図２】
2014152993.tif 000004
【図３】
2014152993.tif 000005
【図４】
2014152993.tif 000006
【図５】
2014152993.tif 000007
【図６】
2014152993.tif 000008